(57)【要約】【課題】クレードル装置を介して、撮像装置を記憶装置、表示機器、印刷装置へ簡便に通信できるようにする。【解決手段】クレードル装置は、記憶装置（７０）に対応付けられた第一の通信ポート（２１）と、表示装置（８０）に対応付けられた第二の通信ポート（２２）と、印刷装置（９０）に対応付けられた第三の通信ポート（２３）と、前記３つの通信ポートのいずれか一つを介して前記撮像装置と無線通信を行う無線通信部（１２、１３、１５、１７、１８）と、前記無線通信部により前記３つの通信ポートから順に信号を送り、前記信号に対する前記撮像装置の応答の有無を検出する検出部（１１、Ｓ１１８）と、前記撮影装置からの応答が有った通信ポートを開くと共に、当該通信ポートに対応する装置との通信回線を開く制御部（１１）と、を備える。【選択図】図３
2010093723.tif 000002
【特許請求の範囲】
【請求項１】
撮影装置を記憶装置、表示装置、印刷装置のいずれかに通信可能に接続するためのクレードル装置であって、
前記記憶装置に対応付けられた第一の通信ポートであって、前記撮影装置と前記記憶装置とが通信するために前記撮影装置を設置できる第一の通信ポートと、
前記表示装置に対応付けられた第二の通信ポートであって、前記撮影装置と前記表示装置とが通信するために前記撮影装置を設置できる第二の通信ポートと、
前記印刷装置に対応付けられた第三の通信ポートであって、前記撮影装置と前記印刷装置とが通信するために前記撮影装置を設置できる第三の通信ポートと、
前記３つの通信ポートのいずれか一つを介して前記撮像装置と無線通信を行う無線通信部と、
前記無線通信部により前記３つの通信ポートから順に信号を送り、前記信号に対する前記撮像装置の応答の有無を検出する検出部と、
前記撮影装置からの応答が有った通信ポートを開くと共に、当該通信ポートに対応する装置との通信回線を開く制御部と、
を備えることを特徴とするクレードル装置。
【請求項２】
前記制御部は、第一の通信ポートに前記撮像装置が設置された時には、前記クレードル装置がホストであり前記記憶装置がデバイスとなるＵＳＢの通信形態で、前記撮像装置から送信された画像データを前記記憶装置へ送信することを特徴とする請求項１記載のクレードル装置。
【請求項３】
前記制御部は、第三の通信ポートに前記撮像装置が設置された時には、前記クレードル装置がデバイスであり前記印刷装置がホストとなるＵＳＢの通信形態で、前記撮像装置から送信された画像データを前記印刷装置へ送信することを特徴とする請求項１記載のクレードル装置。
【請求項４】
前記制御部は、第二の通信ポートに前記撮像装置が設置された時には、前記撮像装置から送信された画像データをＨＤＭＩ形式のデータに変換し前記表示装置へ送信することを特徴とする請求項１記載のクレードル装置。
【請求項５】
前記３つ通信ポートは、クレードル装置の上面に略一列に配置され、中央部に前記第二の通信ポートが配置されることを特徴とする請求項１記載のクレードル装置。
【請求項６】
前記撮像装置は、アンテナと受電コイルを備え、
前記３つ通信ポートは、それぞれ、アンテナ及び送電コイルを備え、
前記撮影装置が前記３つ通信ポートの内の一つの通信ポートに設置された場合に、当該一つの通信ポートのアンテナが前記撮像装置のアンテナと対向し、当該一つの通信ポートの送電コイルが前記撮像装置の受電コイルに対向することを特徴とする請求項１記載のクレードル装置。
【請求項７】
請求項1に記載のクレードル装置と、前記撮影装置と、前記記憶装置と、前記表示装置と、前記印刷装置とを備えることを特徴とする画像処理システム。
【請求項８】
クレードル装置が撮影装置を記憶装置、表示装置、印刷装置のいずれかに通信可能に接続するためのクレードル装置制御方法であって、
前記クレードル装置が、
前記記憶装置に対応付けられた第一の通信ポートであって、前記撮影装置と前記記憶装置とが通信するために前記撮影装置を設置できる第一の通信ポートと、
前記表示装置に対応付けられた第二の通信ポートであって、前記撮影装置と前記表示装置とが通信するために前記撮影装置を設置できる第二の通信ポートと、
前記印刷装置に対応付けられた第三の通信ポートであって、前記撮影装置と前記印刷装置とが通信するために前記撮影装置を設置できる第三の通信ポートと、
前記３つの通信ポートのいずれか一つを介して前記撮像装置と無線通信を行う無線通信部と、を備え、
前記クレードル装置制御方法は、
前記無線通信部により前記３つの通信ポートから順に信号を送り、前記信号に対する前記撮像装置の応答の有無を検出する検出するステップと、
前記撮影装置からの応答が有った通信ポートを開くと共に、当該通信ポートに対応する装置との通信回線を開くステップと、
を備えることを特徴とするクレードル装置制御方法。
【発明の詳細な説明】
【技術分野】
【０００１】
本発明は、撮像装置と無線通信が可能なクレードル装置に関する。さらに、クレードル装置制御方法、及び、クレードル装置を有する画像処理システムに関する。
【背景技術】
【０００２】
従来、クレードル装置を携帯機器と無線通信させ、さらにクレードル装置をホスト機器と通信させることで、携帯機器とホスト機器の通信を成立させる無線通信システムが開示されている（特許文献１参照）。
【０００３】
また、クレードル装置と携帯機器等の近接した機器間を無線通信する方法（近接型無線通信）として、例えば、非特許文献１と２に記載のＴｒａｎｓｆｅｒＪｅｔ（登録商標）が知られている。ＴｒａｎｓｆｅｒＪｅｔ（登録商標）は、放射電磁界を用いた通常の無線通信技術ではなく、誘導電界を用いた無線通信技術であり、近距離通信に適している。
【特許文献１】特開２００６−１３８４４号公報
【非特許文献１】″TransferJet仕様″、［online］、［平成２０年９月２６日検索］、インターネット〈URL：http://www.transferjet.org  /tj/tj_spec.html〉
【非特許文献２】″TransferJet近接無線転送技術″、［online］、［平成２０年９月２６日検索］、インターネット〈URL：http://www.sony.co.jp/SonyInfo/technology/technology/theme/transfer_jet_01.html〉
【発明の開示】
【発明が解決しようとする課題】
【０００４】
携帯機器としての電子カメラとクレードル装置を無線通信することは、電子カメラとクレードル装置を配線部材或いはコネクタを用いて機械的に接続する必要が無くなりユーザの利便性が向上する。
【０００５】
電子カメラ等の撮像装置で撮影された画像データに対して、ユーザが一般に希望する処理は、(i)記憶装置（例えばハードディスク）への画像データの保管、(ii)表示装置（例えばＨＤ−ＴＶ：高精細度テレビジョン受像機）への画像データの表示、(iii) 印刷装置（例えばインクジェットプリンタ）による画像データの紙への印刷である。ユーザはこれらの３つの処理を簡便にできることが好ましい。
【０００６】
本発明は、クレードル装置を介して、撮像装置を記憶装置、表示機器、印刷装置へ簡便に通信できるようにし、撮像装置で撮影された画像データの記憶、表示、印刷が簡便に行えるようにすることを目的とする。
【課題を解決するための手段】
【０００７】
撮影装置を記憶装置、表示装置、印刷装置のいずれかに通信可能に接続するためのクレードル装置は、前記記憶装置に対応付けられた第一の通信ポートであって、前記撮影装置と前記記憶装置とが通信するために前記撮影装置を設置できる第一の通信ポートと、前記表示装置に対応付けられた第二の通信ポートであって、前記撮影装置と前記表示装置とが通信するために前記撮影装置を設置できる第二の通信ポートと、前記印刷装置に対応付けられた第三の通信ポートであって、前記撮影装置と前記印刷装置とが通信するために前記撮影装置を設置できる第三の通信ポートと、前記３つの通信ポートのいずれか一つを介して前記撮像装置と無線通信を行う無線通信部と、前記無線通信部により前記３つの通信ポートから順に信号を送り、前記信号に対する前記撮像装置の応答の有無を検出する検出部と、前記撮影装置からの応答が有った通信ポートを開くと共に、当該通信ポートに対応する装置との通信回線を開く制御部と、を備えることを特徴とする。
【発明の効果】
【０００８】
本発明のクレードル装置を利用することで、撮像装置を記憶装置、表示機器、印刷装置へ簡便に接続できるようなり、ユーザは撮像装置で撮影された画像データの保管、表示、印刷を簡便に実行できる。
【発明を実施するための最良の形態】
【０００９】
図１に、本実施形態のクレードル装置、及び、クレードル装置を含む画像処理システムの概略図を示す。
【００１０】
画像処理システムは、クレードル装置１、撮像装置としての電子カメラ４０（単にカメラとも呼ぶ）を具備する。画像処理システムは、さらに、記憶装置（ストレージ機器）としてのハードディスクドライブ（ＨＤＤ）７０、表示装置としての高精細度テレビジョン受像機（ＨＤ−ＴＶ）８０、印刷装置としてのプリンタ９０を具備する。クレードル装置１は、電子カメラ４０と無線による接続が可能である。クレードル装置１は、ＨＤＤ７０、プリンタ９０とＵＳＢ（ユニバーサルシリアルバス）による接続が可能であり、また、ＨＤ−ＴＶ８０とＨＤＭＩ（ハイ-デフィニションマルチメディアインタフェース）による接続が可能である。
【００１１】
クレードル装置１は、第一の無線通信ポート２１（無線通信ポートI）、第二の無線通信ポート２２（無線通信ポートII）、第三の無線通信ポート２３（無線通信ポートIII）を備える。クレードル装置１において、各無線通信ポートの位置が判別できるよう、各ポートには、カメラ４０の受け部として凹部が形成されている。各ポートの凹部の傍には、多色ＬＥＤ（発光ダイオード）２、３、４が配置されている。また、クレードル装置１は、液晶モニタ５、操作スイッチ６、電源スイッチ７を有する。３つ無線通信ポート２１−２３は、クレードル装置１の上面に略一列に配置され、中央部に第二の無線通信ポート２２が配置される。高精細度テレビジョン対応の液晶モニタ（あるいはプラズマディスプレイ）の大型化にともない、ＨＤＤ７０、ＨＤ−ＴＶ８０、プリンタ９０の中でもっとも寸法が大きいものは、ＨＤ−ＴＶである。ユーザは最も大きいＨＤ−ＴＶを基準（中央に配置）にＨＤＤとプリンタを部屋に配置することが一般的である。そこで、クレードル装置１の中央部にＨＤ−ＴＶに対応する第二の無線通信ポート２２を配置する。この配置によって３つの無線通信ポートと３つの装置（ＨＤＤ７０、ＨＤ−ＴＶ８０、プリンタ９０）との対応が明確となる。
【００１２】
カメラ４０が、第一の無線通信ポート２１、第二の無線通信ポート２２、第三の無線通信ポート２３のいずれかの上に置かれた場合に、クレードル装置１とカメラ４０間の無線通信が可能になる。無線通信の方法は、例えば、ＴｒａｎｓｆｅｒＪｅｔ（登録商標）が好適であるが、無線通信ポート間の干渉が生じないような近接型無線通信であればこれに限定されない。
【００１３】
図２Ａは、クレードル装置１の断面（図１の２Ａ−２Ａ）を示している。クレードル装置１の第一無線通信ポート２１は、カメラ４０の受け部、第一のアンテナ２１ａ（アンテナI）、第一の送電コイル２１ｂ（送電コイルI）等から構成される。第二の無線通信ポート２２は、カメラ４０の受け部、第二のアンテナ２２ａ（アンテナII）、第二の送電コイル（送電コイルII）２２ｂ等から構成される。第三の無線通信ポート２３は、カメラ４０の受け部、第三のアンテナ２３ａ（アンテナIII）、第三の送電コイル２３ｂ（送電コイルIII）等から構成される。
【００１４】
図２Ｂは、カメラ４０の断面（図１の２Ｂ−２Ｂ）を示している。カメラ４０は、その底部にアンテナ５０と受電コイル５７を有する。カメラ４０のアンテナ５０とクレードル装置１の各アンテナ２１ａ、２２ａ、２３ａとの間で、近接型の無線通信が行われる。カメラ４０は、その受電コイル５７を介して、電磁誘導方式により各送電コイル（充電用コイル）２１ｂ、２２ｂ、２３ｂから電力を受け取り、非接触の充電が行われる。
【００１５】
図３は、クレードル装置１の構成を示すブロック図である。
【００１６】
クレードル装置１は、クレードル装置１全体の制御や画像処理を行うクレードルコントローラ（制御部）１１を有する。クレードルコントローラ１１は、中央演算処理装置（ＣＰＵ）１１ａ、画像処理回路１１ｂ、圧縮伸長回路１１ｃを具備する。画像処理回路１１ｂは、カメラ４０からの画像データをプリンタ９０の印刷用画像データに変換するなどの各種画像処理を行う。圧縮伸長回路１１ｃは、ＪＰＥＧ等で圧縮されたカメラ４０からの画像データ信号の伸長や、ＨＤＤ７０で格納するのに適した圧縮画像データの作成などの圧縮伸長処理を行う。
【００１７】
クレードルコントローラ１１のカメラ４０への信号（ＣＰＵからの指令信号、要求信号等）は、クレードルコントローラ１１から変調回路１２に送られる。変調回路１２は、クレードルコントローラ１１からの信号により搬送波の変調を行う。送信回路１３は、変調回路１２から送られてきた送信用信号の電力増幅等を行う。アンテナ選択回路１５は、クレードルコントローラ１１からの指示に応じて、信号を送信するべき無線通信ポートのアンテナ（I、II、又はIII）を選択し、選択したアンテナに送信回路１３からの送信用信号を送る。選択されたアンテナ（I、II、又はIII）が、カメラ４０から受信した受信信号は、受信回路１７で増幅等された後、復調回路１８で復調され、クレードルコントローラ１１に送られる。通信回路１４は、変調回路１２、送信回路１３、受信回路１７、復調回路１８からなる。変調回路１２、送信回路１３、アンテナ選択回路１５、受信回路１７、復調回路１８等は、無線通信部を構成する。
【００１８】
ポーリングを行う場合には、アンテナ選択回路１５は、クレードルコントローラ１１の指示に応じて順番にアンテナ２１ａ、２２ａ、２３ａを選択する。クレードルコントローラ１１は、カメラ４０からの応答を受信したアンテナの属する無線通信ポートにカメラ４０が設置されているとして、この無線通信ポートを開く。即ち、クレードルコントローラ１１は、カメラ４０からの応答を受信した無線通信ポートを選択するようアンテナ選択回路１５に指令するとともに、通信回路１４とクレードルコントローラ１１との信号の授受を許可する。クレードルコントローラ１１は、カメラ４０から無線通信ポートIを介してポーリングに対する応答があった場合には、この無線通信ポートを開き、無線通信ポートIIを介して応答があった場合には、この無線通信ポートを開き、無線通信ポートIIIを介して応答があった場合には、この無線通信ポートを開く。
【００１９】
クレードルコントローラ１１は、バスライン２５（単にバスとも呼ぶ）を介して、ＵＳＢホストコントローラ２６、ＨＤＭIトランスミッタ２７、ＵＳＢデバイスコントローラ２８に接続する。また、クレードルコントローラ１１は、バス２５を介して、ＳＤＲＡＭ２９、ＦｌａｓｈＲＯＭ３０（フラッシュメモリ）等のメモリに接続している。ＳＤＲＡＭ２９は各種データを記憶し、ＦｌａｓｈＲＯＭ３０はクレードルコントローラ１１が実行する制御プログラム等を記憶している。
【００２０】
クレードル装置１をＵＳＢホストとして機能させるためのＵＳＢホストコントローラ２６は、第一のＵＳＢポート３１（ＵＳＢポートI）に接続して、クレードル装置１とＨＤＤ７０間のＵＳＢによる通信を管理する。第一のＵＳＢポート３１は、ＵＳＢケーブルを介して、ＵＳＢデバイスコントローラを持ちＵＳＢデバイスとして機能するＨＤＤ７０（記憶装置）に接続する。クレードル装置１をＵＳＢデバイスとして機能させるためのＵＳＢデバイスコントローラ２８は、第二のＵＳＢポート３３（ＵＳＢポートII）に接続する。第二のＵＳＢポート３３は、ＵＳＢケーブルを介して、ＵＳＢホストコントローラを持ちＵＳＢホストとして機能するプリンタ９０（印刷装置）に接続する。プリンタ９０のＵＳＢホストコントローラは、クレードル装置１とプリンタ９０間のＵＳＢによる通信を管理する。プリンタ９０は、PictBridgeに対応している。なお、PictBridgeは、ＰＴＰ（Picture Transfer Protocol：画像転送プロトコル）を転送プロトコルに使用してカメラとプリンタを直接接続する通信規格である。
【００２１】
ＨＤＭIトランスミッタ２７は、ＨＤＭI端子３２を介して、ＨＤ−ＴＶ８０（表示装置）と接続する。ＨＤＭIトランスミッタ２７は、クレードルコントローラ１１の圧縮伸長回路１１ｃで伸長された非圧縮の画像データをＨＤＭI形式の信号に変換し、ＨＤＭI端子３２とＨＤＭIケーブルを介して、ＨＤ−ＴＶ８０に出力する。ＨＤ−ＴＶ８０では、ＨＤＭＩレシーバでこのＨＤＭI形式の信号を受信した後、画像を表示する。
【００２２】
ＦｌａｓｈＲＯＭ３０は、無線通信ポートのポート識別番号（ポートＩＤ）と外部機器（即ち、ＨＤＤ７０、ＨＤ−ＴＶ８０、プリンタ９０）の識別番号ＵＩＤ（UniqueID）を対応付けるテーブルを記憶している。このテーブルにより、無線通信ポートIはＨＤＤ７０に、無線通信ポートIIはＨＤ−ＴＶ８０に、無線通信ポートIIIはプリンタ９０に対応付けられる。
【００２３】
クレードルコントローラ１１は、このテーブルに基づいて、カメラ４０が設置された無線通信ポートのポートＩＤ（ポーリングにより検出される）に応じて、外部機器を選択する。そして、クレードルコントローラ１１は、選択した外部機器に対応する処理部を、バス２５を介したデータの送受信の対象（アクセスの対象）とする。ここで、処理部は、ＵＳＢホストコントローラ２６、ＨＤＭIトランスミッタ２７、ＵＳＢデバイスコントローラ２８のいずれか一つである。これにより、クレードルコントローラ１１と、選択された外部機器（ＨＤＤ７０、ＨＤ−ＴＶ８０、プリンタ９０）との間の通信回線が開く。即ち、クレードルコントローラ１１は、選択された外部機器に応じて、ＵＳＢホストコントローラ２６、ＨＤＭIトランスミッタ２７、ＵＳＢデバイスコントローラ２８のうちの一つに、バス２５を介して画像データ信号を送出する。これにより、ＨＤＤ７０、ＨＤ−ＴＶ８０、プリンタ９０のいずれか一つとカメラ４０との通信回線が開き、これらの間で通信が可能になる。
【００２４】
さらに、クレードルコントローラ１１は、送電回路３４や、送電回路３４に接続する送電コイル選択回路３５を制御する。クレードルコントローラ１１は、カメラ４０が設置された無線通信ポート（ポーリングにより検出される）に属する送電コイルを送電コイル選択回路３５に選択させる。選択された送電コイルに送電回路３４からの電力が送られる。これにより、無線通信ポートIにカメラ４０が設置されている場合には、送電コイルIからカメラ４０に電力が送られ、カメラ４０が充電される。無線通信ポートIIにカメラ４０が設置されている場合には、送電コイルIIから電力が送られ、カメラ４０が充電される。無線通信ポートIIIにカメラ４０が設置されている場合には、送電コイルIIIから電力が送られ、カメラ４０が充電される。
【００２５】
その他、表示回路３６は、クレードルコントローラ１１に制御され、クレードル装置１の液晶モニタ５にメニュー等を表示する。クレードルコントローラ１１は、操作スイッチ６の操作に応じて、液晶モニタ５のメニュー等が選択できるよう表示回路３６を制御する。ＬＥＤ駆動回路３７は、クレードルコントローラ１１に制御され、クレードルコントローラ１１の指示に応じて多色ＬＥＤ２、３、４を駆動する。電源回路３８は、電源端子８からの交流電力を直流電力にＡＣ／ＤＣ変換し、クレードル装置１の各回路の電源ラインに直流電力を供給する。
【００２６】
図４は、カメラ４０の構成を示すブロック図である。
【００２７】
カメラ４０は、一つ以上のレンズ要素から構成される光学系４１を有する。光学系４１は、カメラ外部から取り込んだ光を撮像素子４２に結像する。撮像素子４２は、光学系４１により撮像素子４２に結像された光学像を電気信号に変換する。撮像素子ＩＦ（インターフェース）回路４３は、撮像素子４２からの電気信号をさらにデジタル信号に変換し画像データを生成する。撮像素子ＩＦ回路４３からの画像データはカメラコントローラ４４に取り込まれ圧縮処理等された後で、メモリーカード４５に記憶される。
【００２８】
カメラコントローラ４４は、中央演算処理装置（ＣＰＵ）等を有し、メモリカード４５、ＳＤＲＡＭ４６、ＦｌａｓｈＲｏｍ４７、ＵＳＢデバイスコントローラ４８とバスを介して接続される。ＳＤＲＡＭ４６は、一時的に各種データを記憶するために使用され、ＦｌａｓｈＲｏｍ４７には、カメラコントローラ４４が実行する各種プログラムが記憶されている。ＵＳＢデバイスコントローラ４８は、カメラ４０をＵＳＢデバイスとして機能させるために使用され、ＵＳＢポート４９を介した外部機器とのＵＳＢによる通信を管理する。
【００２９】
カメラ４０は、アンテナ５０を有し、アンテナ５０を介して画像データ等をクレードル装置１に送信する。カメラコントローラ４４は、メモリカード４５に記憶された画像データを変調回路５３、送信回路５４を介してアンテナ５０から送信できる。変調回路５３は、送信用の画像データ信号に応じて搬送波の変調を行う。送信回路５４は、変調回路１２から送られてきた送信用信号の電力増幅等を行う。アンテナ５０が受信した受信信号は、受信回路５５で増幅等された後、復調回路５６で復調され、カメラコントローラ４４に送られる。
【００３０】
カメラ４０は、受電コイル５７を有する。受電コイル５７がクレードル装置１の送電コイルから非接触で受電した電力は、非接触充電回路５８を介して、２次電池５９に充電される。カメラコントローラ４４は、非接触充電回路５８による充電を制御・管理する。２次電池５９の出力は、電源回路６０のＤＣ／ＤＣコンバータで所定の電圧に変換されて、カメラ４０の各回路の電源ラインに供給される。
【００３１】
その他、カメラ４０は、カメラ操作スイッチ６１、表示回路６２、液晶モニタ６３を有する。表示回路６２は、カメラコントローラ４４に接続し、液晶モニタ６３に表示する画像やメニューのビデオ信号を作成する。カメラ操作スイッチ６１は、例えば、メニューや画像の選択のためのカーソルキーや決定キー等から構成され、カメラ操作スイッチ６１からの信号はカメラコントローラ４４に送られる。
【００３２】
図５―図８のフローチャートを参照して、クレードル装置１のクレードルコントローラ１１が行う制御について説明する。図５Ａと図５Ｂは、制御プログラムのメインルーチンを、図６−図８はサブルーチンを示す。
【００３３】
図５Ａと図５Ｂのメインルーチンは、クレードル装置1の電源スイッチ７がオンされ電源が投入されると同時に開始するものとして説明する。
【００３４】
ステップＳ１００において、起動時の初期設定が為され、無線通信ポートＩ、II、IIIの識別が行われ、個別のポート識別番号（ポートＩＤ）が無線通信ポートＩ、II、IIIそれぞれに割り当てられる。
【００３５】
ステップＳ１０２において、ＵＳＢポートIにＨＤＤ７０が接続されているか、ＵＳＢホストコントローラ２６を介して調べられる。ＵＳＢポートIにＨＤＤ７０が接続されている場合、ステップＳ１０４に進み、そうでない場合ステップＳ１０８に進む。
【００３６】
ステップＳ１０４において、ＵＳＢホストコントローラ２６の初期設定がされる。
【００３７】
ステップＳ１０６において、ＨＤＤ７０をクレードル装置１の外付けドライブとして認識する。これにより、クレードル装置１はＵＳＢのホストとなり、ＨＤＤ７０はＵＳＢのドライブとなる。
【００３８】
ステップＳ１０８において、ＵＳＢポートIIにプリンタ９０が接続されているか、ＵＳＢデバイスコントローラ２８を介して調べられる。ＵＳＢポートIIにプリンタ９０が接続されている場合、ステップＳ１１０に進み、そうでない場合ステップＳ１１２に進む。
【００３９】
ステップＳ１１０において、ＵＳＢデバイスコントローラ２８の初期設定がされる。
【００４０】
ステップＳ１１２において、PictBridge規格に対応させて、クレードル装置１とプリンタ９０間のＰＴＰ通信の回線を開く。これにより、クレードル装置１は、ＵＳＢのデバイスとなり、プリンタはホストとなる。
【００４１】
ステップＳ１１４において、ＨＤＭＩ端子３２にＨＤ−ＴＶ８０が接続されているか、ＨＤＭＩトランスミッタ２７を介して調べられる。ＨＤＭＩ端子３２にＨＤ−ＴＶ８０が接続されている場合、ステップＳ１１６に進み、そうでない場合ステップＳ１１８に進む。
【００４２】
ステップＳ１１６において、ＨＤＭＩトランスミッタ２７の初期設定が為される。
【００４３】
ステップＳ１１８において、電子カメラがいずれの無線通信ポートに置かれているか検出するためにポーリングを行う。このため、アンテナ選択回路１５を介してアンテナI、II、IIIを切り換えながら、順番に通信要求信号を出力し、カメラ４０からの応答信号を受信する。外部機器（ＨＤＤ７０、ＨＤ−ＴＶ８０、プリンタ９０）のすべてがクレードル装置１に接続されていなくても、３つの無線通信ポートI、II、IIIの状態をポーリングする。なお、ステップＳ１１８は、無線通信部により３つの通信ポートから順に信号を送り、この信号に対する撮像装置の応答の有無を検出する検出部を構成する。
【００４４】
ステップＳ１２０において、無線通信ポートにカメラ４０が設置されたことやカメラ４０の設置位置の変化を検出したか判定する。検出した場合には、カメラ４０の設置位置に応じて、ステップＳ１２２、ステップＳ１３２、ステップＳ１４２に進む。設置位置が無線通信ポートIであれば、ステップＳ１２２へ、無線通信ポートIIであれば、ステップＳ１３２へ、無線通信ポートIIIであれば、ステップＳ１４２へ進む。
【００４５】
カメラ４０が無線通信ポートIに設置されている場合、ステップＳ１２２において、ＨＤＤ７０との通信が可能であるかＵＳＢホストコントローラ２６を介して応答を調べて判定する。通信可能でない場合、ステップＳ１２４に進み、通信可能である場合、ステップＳ１３０に進む。
【００４６】
ステップＳ１２４において、ＨＤＤ７０が使用できないことをカメラ４０に通知する。
【００４７】
ステップＳ１２６において、警告表示として、ＬＥＤ駆動回路３７を介して、多色ＬＥＤ２を赤色に点滅させる。
【００４８】
ステップＳ１２８において、カメラ４０とクレードルコントローラ１１間の通信が終了したか判定する。警告表示を見たユーザが無線通信ポートIからカメラ４０を外すなどしてカメラ４０からの応答が検出できない場合に、通信が終了したと判定できる。通信が終了した場合、ステップＳ１１８に戻り、通信が終了していない場合、ステップＳ１２６に戻る。
【００４９】
ステップＳ１３０において、カメラ４０からの画像データをＨＤＤ７０に格納する動作を行う。この動作の詳細については、後述の図６のサブルーチンに記載されている。ステップＳ１３０の後、ステップＳ１１８に戻る。
【００５０】
カメラ４０が無線通信ポートIIに設置されている場合、ステップＳ１３２において、ＨＤ−ＴＶ８０との通信が可能であるかＨＤＭＩトランスミッタを介して判定する。可能でない場合、ステップＳ１３４に進み、可能である場合、ステップＳ１４０に進む。
【００５１】
ステップＳ１３４において、ＨＤ−ＴＶ８０が使用できないことをカメラ４０に通知する。
【００５２】
ステップＳ１３６において、警告表示として、ＬＥＤ駆動回路３７を介して、多色ＬＥＤ３を赤色に点滅させる。
【００５３】
ステップＳ１３８において、カメラ４０とクレードルコントローラ１１間の通信が終了したか判定する。警告表示を見たユーザが無線通信ポートIIからカメラ４０を外すなどしてカメラ４０からの応答が検出できない場合に通信が終了したと判定できる。通信が終了した場合、ステップＳ１１８に戻り、通信が終了していない場合、ステップＳ１３６に戻る。
【００５４】
ステップＳ１４０において、カメラ４０からの画像データをＨＤ−ＴＶ８０に表示する動作を行う。この動作の詳細については、後述の図７のサブルーチンに記載されている。ステップＳ１４０の後、ステップＳ１１８に戻る。
【００５５】
カメラ４０が無線通信ポートIIIに設置されている場合、ステップＳ１４２において、プリンタ９０との通信が可能であるかＵＳＢデバイスコントローラ２８を介して応答を調べて判定する。可能でない場合、ステップＳ１４４に進み、可能である場合、ステップＳ１５０に進む。
【００５６】
ステップＳ１４４において、プリンタ９０が使用できないことをカメラ４０に通知する。
【００５７】
ステップＳ１４６において、警告表示として、ＬＥＤ駆動回路３７を介して、多色ＬＥＤ４を赤色に点滅させる。
【００５８】
ステップＳ１４８において、カメラ４０とクレードルコントローラ１１間の通信が終了したか判定する。警告表示を見たユーザが無線通信ポートIIIからカメラ４０を外すなどしてカメラ４０からの応答が検出できない場合に、通信が終了したと判定できる。通信が終了した場合、ステップＳ１１８に戻り、通信が終了していない場合、ステップＳ１４６に戻る。
【００５９】
ステップＳ１５０において、カメラ４０からの画像データをプリンタ９０で印刷する動作を行う。この動作の詳細については、後述の図８のサブルーチンに記載されている。ステップＳ１５０の後、ステップＳ１１８に戻る。
【００６０】
図６のサブルーチンに、クレードルコントローラが実行する画像データ格納動作（ステップＳ１３０）の詳細を示す。このサブルーチンは、カメラのメモリカードに記憶された画像データを記憶装置（ＨＤＤ７０）へ保管する際に実行され、図１０に示すカメラの制御サブルーチン（格納動作）と協働する。
【００６１】
ステップＳ２００において、カメラ４０が設置された無線通信ポートIに対応する外部機器（ＨＤＤ７０）の識別番号（ＵＩＤ１）をカメラ４０に送信して、カメラ４０の種別情報、状態情報をカメラ４０から受信する。種別情報は、無接点充電可能なタイプか否かの情報を含む。状態情報は、例えば、撮影した画像データの容量を含む。カメラ４０は、受信した外部機器の識別番号ＵＩＤ１に応じて、動作モード（画像格納モード、画像表示モード、画像印刷モード）のうち画像格納モードを選択する。
【００６２】
ステップＳ２０２において、ＨＤＤ７０とカメラ４０との通信回線（通信ライン）を開く。つまり、無線通信ポートIを選択するようアンテナ選択回路１５に指令するとともに、通信回路１４とクレードルコントローラ１１との信号の授受を許可する。さらに、クレードルコントローラ１１は、バス２５を介したデータ送受信の対象（アクセスの対象）としてＵＳＢホストコントローラ２６を指定して、クレードルコントローラ１１とＨＤＤ７０との間の通信回線が開く。
【００６３】
ステップＳ２０４において、無線通信ポートIの多色ＬＥＤ２を、ＬＥＤ駆動回路３７を介して緑色に点灯させる。
【００６４】
ステップＳ２０６において、カメラ４０が充電可能か否か判定する。このため、カメラ４０に充電状態（充電量％）を問い合わせる。カメラ４０は、２次電池５９の充電状態を検出する充電状態検出手段（通常の電子カメラが有するものでよい）を用いて充電状態を取得し、クレードルコントローラ１１に送信する。充電状態が満充電状態（充電量１００％）でなければ、充電可能と判定できる。充電可能であれば、ステップＳ２０８に進み、充電可能でなければステップＳ２１０に進む。
【００６５】
ステップＳ２０８において、クレードル装置１の送電コイルＩからカメラ４０の受電コイル５７への充電電力の送電を開始する。
【００６６】
ステップＳ２１０において、ＨＤＤ７０に画像データ格納用フォルダを作成するよう指令する。
【００６７】
ステップＳ２１２において、カメラ４０から画像データを受信する。
【００６８】
ステップＳ２１４において、画像データをＨＤＤ７０に送信し格納する。
【００６９】
ステップＳ２１６において、すべての画像データを格納したか否か判定する。すべての画像データを格納した場合、ステップＳ２１８に進み、すべての画像データを格納していな場合、ステップＳ２１２に戻る。
【００７０】
ステップＳ２１８において、カメラ４０を充電中か否か判定する。充電中の場合、ステップＳ２２０に進み、充電中でない場合、ステップＳ２２２に進む。
【００７１】
ステップＳ２２０において、カメラ４０から２次電池５９の充電状態を取得し、送電回路３４を介して送電の制御を行う。
【００７２】
ステップＳ２２２において、カメラ４０とクレードルコントローラ１１間の通信が終了したか判定する。クレードルコントローラ１１からの送信要求に対するカメラ４０からの応答が検出できない場合に通信が終了したと判定できる。通信が終了した場合、ステップＳ２２４に進み、通信が終了していない場合、ステップＳ２１８に戻る。
【００７３】
ステップＳ２２４において、無線通信ポートIの多色ＬＥＤ２を消灯する。
【００７４】
図７のサブルーチンに、クレードルコントローラが実行する画像データ表示動作（ステップＳ１４０）の詳細を示す。このサブルーチンは、カメラのメモリカードに記憶された画像データを表示装置へ表示する際に実行され、図１１に示すカメラの制御サブルーチン（表示動作）と協働する。
【００７５】
ステップＳ２３０において、カメラ４０が設置された無線通信ポートIIに対応する外部機器（ＨＤ−ＴＶ８０）の識別番号（ＵＩＤ２）をカメラ４０に送信して、カメラ４０の種別情報、状態情報をカメラ４０から受信する。カメラ４０は、受信した外部機器の識別番号ＵＩＤ２に応じて、動作モード（画像格納モード、画像表示モード、画像印刷モード）のうち画像表示モードを選択する。
【００７６】
ステップＳ２３２において、ＨＤ−ＴＶ８０とカメラ４０との通信回線（通信ライン）を開く。つまり、無線通信ポートIIを選択するようアンテナ選択回路１５に指令するとともに、通信回路１４とクレードルコントローラ１１との信号の授受を許可する。さらに、クレードルコントローラ１１は、バス２５を介したデータ送受信の対象（アクセスの対象）としてＨＤＭIトランスミッタ２７を指定して、クレードルコントローラ１１とＨＤ−ＴＶ８０との間の通信回線が開く。
【００７７】
ステップＳ２３４において、無線通信ポートIIの多色ＬＥＤ３を、ＬＥＤ駆動回路３７を介して緑色に点灯させる。
【００７８】
ステップＳ２３６において、ステップＳ２０６と同様にカメラ４０が充電可能か否か判定する。充電可能であれば、ステップＳ２３８に進み、充電可能でなければステップＳ２４０に進む。
【００７９】
ステップＳ２３８において、クレードル装置１の送電コイルIIからカメラ４０の受電コイル５７への充電電力の送電を開始する。
【００８０】
ステップＳ２４０において、カメラ４０から表示用画像データを受信したか否か判定する。受信していない場合、ステップＳ２４６に進み、受信した場合、ステップＳ２４２に進む。
【００８１】
ステップＳ２４２において、表示用画像データを伸長し、ＨＤ−ＴＶの表示解像度に合わせるために画素数変換を行う。
【００８２】
ステップＳ２４４において、表示用画像データをＨＤＭＩ端子からＨＤ−ＴＶ８０に出力する。
【００８３】
ステップＳ２４６において、カメラ４０を充電中か否か判定する。充電中の場合、ステップＳ２４８に進み、充電中でない場合、ステップＳ２５０に進む。
【００８４】
ステップＳ２４８において、カメラ４０から２次電池５９の充電状態を取得し、送電回路３４を介して送電の制御を行う。
【００８５】
ステップＳ２５０において、カメラ４０とクレードルコントローラ１１間の通信が終了したか判定する。クレードルコントローラ１１からの送信要求に対するカメラ４０からの応答が検出できない場合に通信が終了したと判定できる。通信が終了した場合、ステップＳ２５２に進む。通信が終了していない場合、ステップＳ２４０に戻り、カメラ４０との通信が終了するまで受信した表示用画像データをＨＤ−ＴＶ８０に転送するステップＳ２４０−Ｓ２４４の処理が繰り返される。
【００８６】
ステップＳ２５２において、無線通信ポートIIの多色ＬＥＤ２を消灯する。
【００８７】
図８のサブルーチンに、クレードルコントローラが実行する画像データ印刷動作（ステップＳ１５０）の詳細を示す。このサブルーチンは、カメラのメモリカードに記憶された画像データを印刷装置へ送信する際に実行され、図１２に示されるカメラの制御サブルーチン（印刷動作）と協働する。
【００８８】
ステップＳ２６０において、カメラ４０が設置された無線通信ポートIIIに対応する外部機器（プリンタ９０）の識別番号（ＵＩＤ３）をカメラ４０に送信して、カメラ４０の種別情報、状態情報をカメラ４０から受信する。カメラ４０は、受信した外部機器の識別番号ＵＩＤ３に応じて、動作モード（画像格納モード、画像表示モード、画像印刷モード）のうち画像印刷モードを選択する。
【００８９】
ステップＳ２６２において、プリンタ９０とカメラ４０との通信回線（通信ライン）を開く。無線通信ポートIIIを選択するようアンテナ選択回路１５に指令するとともに、通信回路１４とクレードルコントローラ１１との信号の授受を許可する。さらに、クレードルコントローラ１１は、バス２５を介したデータ送受信の対象（アクセス対象）としてＵＳＢデバイスコントローラ２８を指定して、クレードルコントローラ１１とプリンタ９０との間の通信回線が開く。
【００９０】
ステップＳ２６４において、無線通信ポートIIIの多色ＬＥＤ４を、ＬＥＤ駆動回路３７を介して緑色に点灯させる。
【００９１】
ステップＳ２６６において、ステップＳ２０６と同様にカメラ４０が充電可能か否か判定する。充電可能であれば、ステップＳ２６８に進み、充電可能でなければステップＳ２７０に進む。
【００９２】
ステップＳ２６８において、クレードル装置１の送電コイルIIIからカメラ４０の受電コイル５７への充電電力の送電を開始する。
【００９３】
ステップＳ２７０において、カメラ４０から印刷用画像データを受信したか否か判定する。受信していない場合、ステップＳ２７６に進み、受信した場合、ステップＳ２７２に進む。
【００９４】
ステップＳ２７２において、印刷用画像データの伸長を伸長し、プリンタの印刷解像度に合わせるために画素数変換を行う。
【００９５】
ステップＳ２７４において、印刷用画像データをプリンタ９０に出力する。
【００９６】
ステップＳ２７６において、カメラ４０を充電中か否か判定する。充電中の場合、ステップＳ２７８に進み、充電中でない場合、ステップＳ２８０に進む。
【００９７】
ステップＳ２７８において、カメラ４０から２次電池５９の充電状態を取得し、送電回路３４を介して送電の制御を行う。
【００９８】
ステップＳ２８０において、カメラ４０とクレードルコントローラ１１間の通信が終了したか判定する。クレードルコントローラ１１からの送信要求に対するカメラ４０からの応答が検出できない場合に通信が終了したと判定できる。通信が終了した場合、ステップＳ２８２に進む。通信が終了していない場合、ステップＳ２７０に戻り、カメラ４０との通信が終了するまで受信した印刷用画像データをプリンタ９０に転送するステップＳ２７０−Ｓ２７４の処理が繰り返される。
【００９９】
ステップＳ２８２において、無線通信ポートIIIの多色ＬＥＤ４を消灯する。
【０１００】
図９―図１２のフローチャートを参照して、カメラ４０のカメラコントローラ４４が行う制御について説明する。図９は、制御プログラムのメインルーチンを、図１０−図１２はサブルーチンを示す。
【０１０１】
図９のメインルーチンは、カメラ４０の電源スイッチ（図示しない）がオンされるかスタンバイモードが解除されると同時に開始するものとして説明する。
【０１０２】
ステップＳ３００において、カメラのシステム起動時の初期設定が為される。
【０１０３】
ステップＳ３０２において、通信回路（変調回路５３、送信回路５４、受信回路５５、復調回路５６）を起動して、カメラコントローラ４４とこの通信回路との信号の授受を可能にする。
【０１０４】
ステップＳ３０４において、クレードル装置１からのポーリングによる通信要求信号が検出されているか判定する。検出されない場合、ステップＳ３０６に進み、検出されている場合、ステップＳ３０８に進む。
【０１０５】
ステップＳ３０６において、通常のカメラ動作の制御（撮影・再生制御）が実行され、ステップＳ３０４に戻る。
【０１０６】
ステップＳ３０８において、クレードル装置１に応答信号を送信する。
【０１０７】
ステップＳ３１０において、クレードル装置１が通信対象の外部機器と通信できず、この外部機器が使用できないことをクレードル装置１から受信しているか判定する。なお、ステップＳ１２４、Ｓ１３４、Ｓ１４４において、クレードル装置１はカメラ４０に外部機器が使用できないことを示す信号を送信している。外部機器が使用できない場合、ステップＳ３１２において、警告表示が、液晶モニタ６３に表示される。外部機器が使用できる場合、ステップＳ３２０に進む。
【０１０８】
ステップＳ３１４において、続いて、通信切断処理が行われる。即ち、カメラコントローラ４４は通信回路（変調回路５３、送信回路５４、受信回路５５、復調回路５６）との信号の授受を停止する。
【０１０９】
ステップＳ３１６において、スタンドバイモードへ移行する。
【０１１０】
ステップＳ３２０において、クレードル装置１から外部機器の識別番号ＵＩＤを受信する。さらに、カメラ４０の種別情報、状態情報をクレードル装置１へ送信する。
【０１１１】
ステップＳ３２２において、受信した識別番号ＵＩＤから通信可能な外部機器を判定し、ＵＩＤに応じた処理に移行する。受信した識別番号がＵＩＤ１であれば、ステップＳ３２４に進み、ＵＩＤ２であれば、ステップＳ３２６に進み、ＵＩＤ３であれば、ステップＳ３２８に進む。
【０１１２】
ステップＳ３２４において、ＨＤＤ７０と通信して格納動作が為される。この動作の詳細については、後述の図１０のサブルーチンに記載されている。
【０１１３】
ステップＳ３２６において、ＨＤ−ＴＶ８０と通信して表示動作が為される。この動作の詳細については、後述の図１１のサブルーチンに記載されている。
【０１１４】
ステップＳ３２８において、プリンタ９０と通信して印刷動作が為される。この動作の詳細については、後述の図１２のサブルーチンに記載されている。
【０１１５】
ステップＳ３２４、Ｓ３２６、Ｓ３２８の後、ステップＳ３０４に戻る。
【０１１６】
図１０のサブルーチンに、カメラコントローラ４４が実行する格納動作（ステップＳ３２４）の詳細を示す。このサブルーチンは、カメラのメモリカードに記憶された画像データを記憶装置（ＨＤＤ７０）へ保管する際に実行される。
【０１１７】
ステップＳ３５０において、非接触充電回路５８を起動する。
【０１１８】
ステップＳ３５２において、クレードルコントローラ１１からの指令に応じて、メモリカード４５の画像データを送信する。
【０１１９】
ステップＳ３５４において、充電状態の情報を取得し、クレードル装置１に送信する。カメラ４０は、２次電池５９の充電状態（充電量％）を検出する充電状態検出手段（通常の電子カメラが有するものでよい）を用いて充電状態を取得し、クレードルコントローラ１１に送信する。
【０１２０】
ステップＳ３５６において、充電が終了したか判定する。充電状態が満充電状態（充電量１００％）であれば、充電が終了したと判定できる。終了した場合、ステップＳ３５８に進み、終了していない場合、ステップＳ３５４に戻る。
【０１２１】
ステップＳ３５８において、非接触充電回路５８を停止する。
【０１２２】
ステップＳ３６０において、通信切断処理を行う。即ち、カメラコントローラ４４は通信回路（変調回路５３、送信回路５４、受信回路５５、復調回路５６）との信号の授受を停止する。
【０１２３】
図１１のサブルーチンに、カメラコントローラ４４が実行する表示動作（ステップＳ３２６）の詳細を示す。このサブルーチンは、カメラのメモリカードに記憶された画像データを表示装置へ表示する際に実行される。
【０１２４】
ステップＳ３７０において、非接触充電回路５８を起動する。
【０１２５】
ステップＳ３７２において、カメラ操作スイッチ６１が操作されてＨＤ−ＴＶ８０に表示用の表示画像が選択されたか否か判定される。
【０１２６】
ステップＳ３７４において、ステップＳ３７２において選択された画像データをクレードル装置１に送信する。
【０１２７】
ステップＳ３７６において、充電動作中か判定される。充電動作中であれば、ステップＳ３７８に進み、充電動作中であれば、ステップＳ３８４に進む。
【０１２８】
ステップＳ３７８において、充電状態の情報を取得し、クレードル装置１に送信する。
【０１２９】
ステップＳ３８０において、充電が終了したか判定される。充電が終了した場合、ステップＳ３８２に進み、充電が終了していない場合、ステップＳ３７２に戻る。
【０１３０】
ステップＳ３８２において、非接触充電回路５８を停止して、ステップＳ３７２に戻る。
【０１３１】
ステップＳ３８４において、カメラ操作スイッチ６１の操作による画像の選択動作が所定時間実行されていないか否か判定される。所定時間実行されていない場合、ステップＳ３８６に進み、所定時間内に実行された場合、ステップＳ３７２に戻る。
【０１３２】
ステップＳ３８６において、通信切断処理が実行される。
【０１３３】
図１２のサブルーチンに、カメラコントローラ４４が実行する印刷動作（ステップＳ３２８）の詳細を示す。なお、図１１のサブルーチンと同じ処理には同じステップ番号を付して説明を省略する。
【０１３４】
図１２では、図１１のサブルーチンのステップＳ３７２の代わりに、ステップＳ３９０の処理を実行する。ステップＳ３９０において、カメラ操作スイッチ６１が操作され、プリンタ９０での印刷用の印刷画像が選択されたか否か判定されている。ステップＳ３９０以外の処理は、図１１のサブルーチンと同様である。
【０１３５】
＜作用・効果＞
クレードル装置は、それぞれ記憶装置、表示装置、印刷装置に対応付けられた３つの無線通信ポートを有するので、撮影装置を記憶装置、表示装置、印刷装置のいずれかに通信可能に接続できる。無線通信部により３つの通信ポートから順に信号を送り、この信号に対する撮像装置の応答の有無を検出する検出部（ポーリング手段）が設けられる。これにより、３つの通信ポートのうち撮影装置が設置されているポートを検出できる。撮影装置からの応答が有った通信ポートを開くと共に、当該通信ポートに対応する装置との通信回線を開く制御部（クレードルコントローラ）が設けられる。これにより、当該通信ポートに設置された撮影装置と当該通信ポートに対応する装置との通信が可能になる。
【０１３６】
制御部は、第一の通信ポートに撮像装置が設置された時には、クレードル装置がホストであり記憶装置がデバイスとなるＵＳＢの通信形態で、撮像装置から送信された画像データを記憶装置へ送信する。これにより、クレードル装置側から記憶装置を制御しながら画像データを記憶装置へ送信できる。
【０１３７】
制御部は、第三の通信ポートに撮像装置が設置された時には、クレードル装置がデバイスであり印刷装置がホストとなるＵＳＢの通信形態で、撮像装置から送信された画像データを印刷装置へ送信する。これにより、印刷装置側からクレードル装置を制御しながら、画像データを印刷装置が受信できる。
【０１３８】
制御部は、第二の通信ポートに撮像装置が設置された時には、撮像装置から送信された画像データをＨＤＭＩ形式のデータに変換し表示装置へ送信する。これにより、撮像装置で撮影した画像を表示装置にて高画質で表示できる。
【０１３９】
３つ通信ポートは、クレードル装置の上面に略一列に配置され、中央部に第二の通信ポートが配置される。これにより、印刷装置や記憶装置より一般的にサイズの大きい表示装置を設置しやすくなる。
【０１４０】
撮像装置は、アンテナと受電コイルを備え、３つ通信ポートは、それぞれ、アンテナ及び送電コイルを備え、撮影装置が前記３つ通信ポートの内の一つの通信ポートに設置された場合に、当該一つの通信ポートのアンテナが撮像装置のアンテナと対向し、当該一つの通信ポートの送電コイルが撮像装置の受電コイルに対向する。これにより、撮像装置をポートに設置するだけで、撮像装置とクレードル装置の通信が可能になるとともに、撮像装置の充電が可能になる。
【０１４１】
本発明は上記の実施形態に限定されずに、その技術的な思想の範囲内において種々の変更がなしうることは明白である。
【図面の簡単な説明】
【０１４２】
【図１】クレードル装置に対して撮影装置（電子カメラ）、記憶装置（ＨＤＤ）、表示装置（ＨＤ−ＴＶ）、印刷装置（プリンタ）を接続して構成される画像処理システムの外観を示す図である。
【図２Ａ】クレードル装置の断面図である。
【図２Ｂ】カメラの断面図である。
【図３】クレードル装置のシステム構成を示すブロック構成図である。
【図４】電子カメラのシステム構成を示すブロック構成図である。
【図５Ａ】クレードル装置の動作を示すフローチャートであり、クレードルコントローラよって実行される制御のメインルーチンを示す。
【図５Ｂ】クレードル装置の動作を示すフローチャートであり、クレードルコントローラよって実行される制御のメインルーチンを示す。
【図６】クレードルコントローラよって実行される制御のサブルーチン（画像データ格納動作）を示す。
【図７】クレードルコントローラよって実行される制御のサブルーチン（画像データ表示動作）を示す。
【図８】クレードルコントローラよって実行される制御のサブルーチン（画像データ印刷動作）を示す。
【図９】カメラコントローラよって実行される制御のメインルーチンを示す。
【図１０】カメラコントローラよって実行される制御サブルーチン（格納動作）を示す。
【図１１】カメラコントローラよって実行される制御サブルーチン（表示動作）を示す。
【図１２】カメラコントローラよって実行される制御サブルーチン（印刷動作）を示す。
【符号の説明】
【０１４３】
１  クレードル装置
１１  クレードルコントローラ（制御部）
１２  変調回路
１３  送信回路
１４  通信回路
１５  アンテナ選択回路
１７  受信回路
１８  復調回路
２１  第一の通信ポート（無線通信ポートI）
２１ａ  アンテナI
２１ｂ  送電コイルI
２２  第二の通信ポート（無線通信ポートII）
２２ａ  アンテナII
２２ｂ  送電コイルII
２３  第三の通信ポート（無線通信ポートIII）
２３ａ  アンテナIII
２３ｂ  送電コイルIII
２６  ＵＳＢホストコントローラ
２７  ＨＤＭＩトランスミッタ
２８  ＵＳＢデバイスコントローラ
４０  電子カメラ
５０  アンテナ
５７  受電コイル
７０  記憶装置（ＨＤＤ）
８０  表示装置（ＨＤ−ＴＶ）
９０  印刷装置（プリンタ）
【図１】
2010093723.tif 000003
【図２Ａ】
2010093723.tif 000004
【図２Ｂ】
2010093723.tif 000005
【図３】
2010093723.tif 000006
【図４】
2010093723.tif 000007
【図５Ａ】
2010093723.tif 000008
【図５Ｂ】
2010093723.tif 000009
【図６】
2010093723.tif 000010
【図７】
2010093723.tif 000011
【図８】
2010093723.tif 000012
【図９】
2010093723.tif 000013
【図１０】
2010093723.tif 000014
【図１１】
2010093723.tif 000015
【図１２】
2010093723.tif 000016